(57)【要約】【課題】タインを土中から機械的に自然な状態で抜き取り、作業負担を軽減し、連続して効率よく芝生地に孔空け作業をすることのでき、また、抜き取った土塊を放置することなく捕集可能とした芝生穿孔機を提供する。【解決手段】穿孔機本体１と柄２とからなり、穿孔機本体１は、一枚の方形状基板４の上部に脚踏み台５を形成するとともに脚踏み台５の真下において基板４の下部には収容空間７を有する収容部６を形成し、両側には柄２に連結する連結板８を固定した支持部材３と、上方に向けて突設する二本のガイド棒１３を有し、このガイド棒１３を収容部６と脚踏み台５とに貫通して取り付けるとともにガイド棒１３に設けたスプリング１４の伸縮弾性により収容部６との相対する位置関係を変えることのできる支持板１２と、収容空間７内に嵌め込み固定する保持部材１０と、支持板１２を通して保持部材１０に連結可能な複数本のタイン２０とから成る。【選択図】図７
2006262738.tif 000002
【特許請求の範囲】
【請求項１】
穿孔機本体１と柄２とからなり、穿孔機本体１は、上部に脚踏み台５を有するとももに下部には保持部材１０を取り付け可能な収容部６を有する支持部材３と、支持部材３に貫通してスライド可能なガイド棒１３を突設し、収容部６の下方に位置してスプリング１４の伸縮弾性により保持部材１０との相対する位置関係を変えることのできる支持板１２と、支持板１２を貫通して保持部材１０に取り付ける複数本のタイン２０とから成ることを特徴とする芝生穿孔機。
【請求項２】
穿孔機本体１と柄２とからなり、穿孔機本体１は、一枚の方形状基板４の上部に脚踏み台５を形成するとともに脚踏み台５の真下において基板４の下部には収容空間７を有する収容部６を形成し、両側には柄２に連結する連結板８を有する支持部材３と、上方に向けて突設する二本のガイド棒１３を有し、このガイド棒１３を収容部６と脚踏み台５とに貫通して取り付けるとともにガイド棒１３に設けたスプリング１４の伸縮弾性により収容部６との相対する位置関係を変えることのできる支持板１２と、収容空間７内に嵌め込み固定する保持部材１０と、支持板１２を通して保持部材１０に連結可能な複数本のタイン２０とから成ることを特徴とする芝生穿孔機。
【請求項３】
穿孔機本体１と柄２とからなり、穿孔機本体１は、柄２に連結可能な二枚の縦長な連結板８の上部間に脚踏み台５を架設して固定するとともに連結板８の下部間には保持部材１０を架設して固定し、上方に向けて突設する二本のガイド棒１３を有し、このガイド棒１３を保持部材１０と脚踏み台５とに貫通して取り付け、ガイド棒１３に設けたスプリング１４の伸縮弾性により保持部材１０との相対する位置関係を変えることのできる支持板１２と、支持板１２を通して保持部材１０に連結可能な複数本のタイン２０とから成ることを特徴とする芝生穿孔機。
【請求項４】
穿孔機本体１と柄２とからなり、穿孔機本体１は、保持部材１０とこの保持部材１０の下方に配置した支持板１２とからなり、支持板１２に設けたガイド棒１３は保持部材１０に抜けることなくスライド可能に挿通し、ガイド棒１３を挿し込んだ伸縮弾性を有するスプリング１４は保持部材１０と支持板１２間に設置し、保持部材１０と柄２の支持棒２ａとを連結したことを特徴とする芝生穿孔機。
【請求項５】
タイン５は、保持部材１０にネジ２２を使用して連結することを特徴とする請求項１、２、３及び４に記載する芝生穿孔機。
【請求項６】
タイン５は、保持部材１０に捻じ込んで連結することを特徴とする請求項１、２、３及び４に記載する芝生穿孔機。
【請求項７】
支持板１２の前面には、枠体３１に捕集袋３２を設けた捕集具３０を固定可能としたことを特徴とする請求項１、２、３及び４に記載する芝生穿孔機。
【請求項８】
支持板１２の前面には、枠体３１に捕集袋３２を設けた捕集具３０を着脱可能としたことを特徴とする請求項１、２、３及び４に記載する芝生穿孔機。
【請求項９】
枠体３１は支持板１２に平行に取り付け可能な長方形体であることを特徴とする請求項１乃至８に記載する芝生穿孔機。
【請求項１０】
枠体３１は支持板１２に対し前方上方へ傾斜状とした長方形体であることを特徴とする請求項１乃至８に記載する芝生穿孔機。
【発明の詳細な説明】
【技術分野】
【０００１】
本発明は、芝生穿孔機に関し、特に、小型化して効率よく芝生地に孔を空けることのできる芝生穿孔機に関するものである。
【背景技術】
【０００２】
一般家庭の庭や公園、庭園、ゴルフ場等では芝生が植生されている。このような芝生地は歩行によって踏み固められると表層部が硬くなって芝生の育成が悪く、放置すると芝生が枯れる原因となっていた。しかも、硬い表層部に肥料を撒いても中まで浸透せず、芝生育成のためには良好な効果が得られなかった。そこで、通気性を良くして土壌の改良を図り、かつ、肥料の浸透を良くして芝生の育成、再生のために芝生地に多数の孔を空ける作業が行われている。
【０００３】
図１９は、従来市販されている芝生穿孔機であり、柄ａの下部に連結した機体ｂに複数本の孔空け具ｃを垂直状態で連結し、これらの孔明け具ｃは所定の間隔で横方向に並べてある。通常、金属製パイプからなる孔空け具ｃは、タインと称されているので、以下において孔空け具の名称に変えてタインと称する。
【０００４】
上記する芝生穿孔機において、柄ａを持ってタインｃを芝生地に対して垂直状態に立て、脚踏み台ｄ上に脚を載せ体重をかけて踏み下ろし、タインｃを芝生地に垂直に突き刺せば、切り取った芝および土（以下、総称して土塊と称する）がタインｃ先端からタインｃの中に取り入れられ、タインｃを引き抜けばタインｃの本数分の孔が形成されることになる。タインｃの中に取り入れられた土塊は順に押し上げられ、タインｃの上方から押し出され、排出されることになる。
【０００５】
タインｃの太さは一般的には８〜２０ｍｍ位、長さは７〜１０ｃｍ位であり、移動しつつ同じ作業を繰り返し行うことで、芝生地には多数の孔が形成されることになる。その結果、各孔を通して土中の通気性や透水性がよくなり、土壌の固結を緩和し、芝生の育成に効果的である。また、孔から肥料を投入することで肥料の浸透性が良くなり、土壌改良及び芝生の再生に役立つものである。
【０００６】
尚、上記する中空円筒状タインに変え、機体に設けた複数本の細長い金属棒を芝生土に突き刺して多数の孔を形成する芝生穿孔機も提供されている。また、日本公開特許公報（特開２００４−１２９５８８）の図１１には、トラクターによって牽引される回転可能な芝面穿孔機に多数のタインを取り付け、芝面穿孔機の回転走行によって芝生土に連続して多数の孔を形成する装置が提供されている。
【特許文献１】特開２００４−１２９５８８公報
【発明の開示】
【発明が解決しようとする課題】
【０００７】
前記した図に示す芝生穿孔機は、小型で持ち運びやすいものであるが、タインｃは単なる円筒体であるので、タインｃを芝生地に突き刺すことを繰り返し行っていると、タインｃ中に取り入れられた土塊が中で詰まり現象を起こし、その都度、タインｃ内の土塊を取り除く必要があった。しかも、タインｃを芝生地から抜き取る時には相当な力を必要とするので重労働であり、連続して孔空け作業をすることは作業員にとって大きな負担となっていた。
【０００８】
また、多数の金属棒を突き刺す芝生穿孔機においては、金属棒が細長いものであり芝生地に形成される孔径が小さいので、機体には１０〜２０本以上の本数を設置し、限られた空間内に多数の孔を形成する必要があった。従って、全体重量が重くて持ち運びに不便であり、金属棒を土中から抜き取る作業も大変であった。
【０００９】
回転可能な芝面穿孔機によって芝生地に孔を空ける作業は、連続して多数の孔空けが可能であり、芝生地が広大なゴルフ場においては効率的である利点を有している。しかし、トラクターが入りこめない場所では孔空け作業が出来ないものであった。
【００１０】
更に、総じて従来の芝生穿孔機では芝生地から抜き取った土塊はタインから放出し、そのまま放置されるので、芝生地に散乱して景観を損ない、乾燥した後では風によって土煙を生ずる原因となっていた。一般家庭の庭の広さでは散乱した土塊を掃除することは可能であるが、広大なゴルフ場では土塊を全て取り去ることはできないものである。
【００１１】
本発明芝生穿孔機は、上記する従来提供されている種々の芝生穿孔機の問題点に鑑み、タインを土中から機械的に自然な状態で抜き取り、作業負担を軽減し、連続して効率よく芝生地に孔空け作業をすることのできる芝生穿孔機を提供するものである。また、本発明芝生穿孔機は、抜き取った土塊を放置することなく捕集可能とした芝生穿孔機を提供するものである。
【課題を解決するための手段】
【００１２】
本発明芝生穿孔機は穿孔機本体１と柄２とからなり、穿孔機本体１は、上部に脚踏み台５を有するとももに下部には保持部材１０を取り付け可能な収容部６を有する支持部材３と、支持部材３に貫通してスライド可能なガイド棒１３を突設し、収容部６の下方に位置してスプリング１４の伸縮弾性により保持部材１０との相対する位置関係を変えることのできる支持板１２と、支持板１２を貫通して保持部材１０に取り付ける複数本のタイン２０とから成っている。
【００１３】
また、本発明芝生穿孔機は穿孔機本体１と柄２とからなり、穿孔機本体１は、一枚の方形状基板４の上部に脚踏み台５を形成するとともに脚踏み台５の真下において基板４の下部には収容空間７を有する収容部６を形成し、両側には柄２に連結する連結板８を固定した支持部材３と、上方に向けて突設する二本のガイド棒１３を有し、このガイド棒１３を収容部６と脚踏み台５とに貫通して取り付けるとともにガイド棒１３に設けたスプリング１４の伸縮弾性により収容部６との相対する位置関係を変えることのできる支持板１２と、収容空間７内に嵌め込み固定する保持部材１０と、支持板１２を通して保持部材１０に連結可能な複数本のタイン２０とから成っている。
【００１４】
更に、本発明芝生穿孔機は穿孔機本体１と柄２とからなり、穿孔機本体１は、柄２に連結可能な二枚の縦長な連結板８の上部間に脚踏み台５を架設して固定するとともに連結板８の下部間には保持部材１０を架設して固定し、上方に向けて突設する二本のガイド棒１３を有し、このガイド棒１３を保持部材１０と脚踏み台５とに貫通して取り付け、ガイド棒１３に設けたスプリング１４の伸縮弾性により保持部材１０との相対する位置関係を変えることのできる支持板１２と、支持板１２を通して保持部材１０に連結可能な複数本のタイン２０とから成っている。
【００１５】
更に、本発明芝生穿孔機は穿孔機本体１と柄２とからなり、穿孔機本体１は、保持部材１０とこの保持部材１０の下方に配置した支持板１２とからなり、支持板１２に設けたガイド棒１３は保持部材１０に抜けることなくスライド可能に挿通し、ガイド棒１３を挿し込んだ伸縮弾性を有するスプリング１４は保持部材１０と支持板１２間に設置し、保持部材１０と柄２の支持棒２ａとを連結したものである。
【００１６】
上記する各発明においてタイン５は、保持部材１０にネジ２２を使用して連結するか捻じ込んで連結したものである。また、支持板１２の前面には、枠体３１に捕集袋３２を設けた捕集具３０を固定可能とするか捕集具３０を着脱可能としたものである。更に、枠体３１は支持板１２に平行に取り付け可能な長方形体であり、あるいは、枠体３１は支持板１２に対し前方上方へ傾斜状とした長方形体である。
【発明の効果】
【００１７】
本発明芝生穿孔機において穿孔機本体１は、踏み込み用の脚踏み台５の下部にタイン保持用の保持部材１０を設け、保持部材１０の下方にはスプリング１４の伸縮弾性で保持部材１０に対する位置関係を変えることができる支持板１２を配置し、支持板１２を貫通して複数本のタイン２０を保持部材１０に取り付けるようにしたので、穿孔機本体１を踏み込み下降させてタイン２０を土中に突き刺すことでスプリング１４は上方に圧縮され、踏み込みを開放することでタイン２０は土中から自然に引き抜かれ、芝生地には孔が形成される。
【００１８】
脚踏み台５を使用して踏み込むだけでタイン２０を土中に突き刺すことができ、踏み込みを開放することでタイン２０を自然に抜き取ることができるので、作業者の労力負担を軽くして孔空け作業を連続して行うことができる。
【００１９】
また、穿孔機本体１は、中心となる支持部材３の上部に脚踏み台５を形成し、下部には保持部材１０を取り付け可能な収容部６を設け、二本のガイド棒１３で案内され支持部材３内に設置したスプリング１４の伸縮弾性で保持部材１０に対する位置関係を変えることのできる支持板１２を有し、支持板１２を貫通して複数本のタイン２０を保持部材１０に連結するようにしたので、支持部材３を踏みおろすことでタイン２０を土中に突き刺すことができ、支持部材３の踏み込みを開放すればスプリング１４弾性の復元力で支持板１２を支点として支持部材３は上昇し、タイン２０が土中から引き抜かれ、芝生地にはタイン２０の本数の孔が形成される。支持部材３を設けることで全体の強度を高め、製品価値を高めることができる。
【００２０】
また、支持部材３を設けることなく柄２の下部に脚踏み台５と保持部材１０とを独立して設置し、ガイド棒１３によって脚踏み台５と保持部材１０に取り付けた支持板１２はスプリング１４の伸縮弾性で保持部材１０に対する位置関係を変えることができるので、支持板１２を通して保持部材１０に設けたタイン２０を芝生地に刺し込むことで孔空け作業ができ、スプリング１４の復元力で保持部材１０は上昇してタイン２０は自然に抜き取ることができる。支持部材３を有しないことで全体重量が軽くなり、更に取り扱いが便利なものとなる。
【００２１】
更に、柄２の下部に保持部材１０を直接連結し、この保持部材１０に対しスプリング１４を介して支持板１２の位置関係を変えることができるように連結し、支持板１２を貫通して保持部材１０にタイン２０を取り付けることができるようにしたので、全体構造を簡易にして効果的に孔空け作業をすることができる。
【００２２】
スプリング１４の伸弾性を利用してタイン２０を自然に引き抜くので、柄２を持ってタイン２０を土中から引き抜く労力が軽減され、穿孔機本体１は、柄２で持ち運び可能であるから任意の位置で芝生地に効率よく孔を空けることができる。特に、ゴルフ場のような広大な芝生地では機械的に孔空け作業ができない限られた芝生地には最適である。
【００２３】
特に、芝生穿孔機ではタイン２０を突き刺す時、支持板１２は芝生面に載って芝生を押さえる役目を有し、また、タイン２０を引き抜く時にも支持板１２は芝生面に載っているので芝生が持ち上げられて引き抜かれることがなく、芝生を傷めずに保護することが可能である。
【００２４】
芝生面上に接地可能な支持板１２の前方に捕集具３０を設けておけば、タイン２０中に採り入れられた芝や土からなる土塊は排出口２３から前方に排出されるが、土塊は捕集具３０の捕集袋３２内に取り入れることができるので、土塊は芝生地に散乱することがなく、芝生地を清掃する必要がない。特に、支持板１２に対して捕集具３０を取り付け、取り外し可能としておけば、土塊が溜まるごとに捕集具３０を支持板１２から取り外して土塊の廃棄が可能である。
【発明を実施するための最良の形態】
【００２５】
以下、図面に従って本発明の実施形態を詳細に説明する。
本発明の第一実施形態
本発明芝生穿孔機は、芝生地に孔空け作業をするために使用する穿孔機本体１と、この穿孔機本体１に連結する柄２とからなり、更に、穿孔機本体１は、脚踏み台と脚踏み台の下方に位置する保持部材と、保持部材の下方に配置してスプリングの伸縮弾性により保持部材との相対する位置関係を変えることのできる支持板と複数本のタインとから成っている。
【００２６】
図１の正面図、図２の背面図及び図３の側面図は、本発明の第一実施形態を示す芝生穿孔機全体を示すものである。この実施形態における芝生穿孔機における全体が金属製である穿孔機本体１は、脚踏み台や保持部材等を設けるために支持部材３が使用される。
【００２７】
この支持部材３は、図４に示すように、一枚の方形状基板４の上部に脚踏み台５を形成し、下部には収容部６を形成したものである。脚踏み台５は、基板４上部を片側（正面側）へ水平に折り曲げて形成した脚を載せることの出来る部材であり、穿孔機本体１を押し下げる時に使用する。
【００２８】
また、収容部５は、基板４の下部を縦断面が横向きのＵ字形状になるよう折り曲げて脚踏み台５の真下に位置させてあり、Ｕ字形状の開口部は、脚踏み台５の折曲方向とは逆方向（背面側）に開口する横長な収容空間７としたものである。
【００２９】
このような構成を有する支持部材３の両側面には連結板８が固定される。支持部材３の側面にそった長さを有し、かつ、脚踏み台５や収容部６の横巾と同じ横巾間隔を有する縦長な連結板８は、支持部材３の両側面全面にあてがい溶接あるいはネジ、ボルト等の止着具を使用した適宜手段で一体に固定してある。
【００３０】
両連結板８の上端部は支持部材３よりも上方に突出して柄２に取り付けた二本の支持棒２ａ下部とボルトやナットを使用して連結可能となっており、穿孔機本体１と柄２とは一体に連結される。尚、二本の支持棒２ａは、金属製円筒体であるが、連結板８との連結部は偏平に押しつぶして板体としてある。
【００３１】
支持部材３の側面と連結板８とをネジ、ボルト等の止着具で連結する場合には、例えば、脚踏み台５や収容部６の両側面に連結用の板体を上下いずれかに直角状に連設しておけばよく、この連結用の板体と連結板８とを止着具で直接連結すればよい。特に連結手段は問うものではない。
【００３２】
脚踏み台５や収容部６は基板４の上下を折り曲げることで上下対称位置に一体に加工形成することができ、基板４は背面板を形成している。そして、穿孔機本体１は正面側において背面の基板４、上部の脚踏み台５、下部の収容部６及び左右の連結板８とにより横長な方形状の正面空間９が形成してある。
【００３３】
穿孔機本体１を構成する保持部材１０は、横長な角棒体であり、収容空間７内に背面側から嵌め込み収容する。そして、収容部６の正面側から捻じ込んだ固定ボルト１１を保持部材１０に捻じ込み、保持部材１０を収容空間７内に固定する。尚、固定ボルト１１は、正面空間９内において収容部６の上から保持部材１０に捻じ込んでもよい。
【００３４】
また、支持部材３の下方に配置して穿孔機本体１を構成する支持板１２は、収容部６の下面とほぼ同じ大きさを有し、収容部６の長さ方向にそって水平状に配置可能な板体である。支持板１２の両端部には二本のガイド棒１３が上方に向けて垂直に突設してあり、支持板１２は二本のガイド棒１３を介して支持部材３にスライド可能に取り付けられる。
【００３５】
即ち、脚踏み台５及び収容部６の両側には、ガイド棒１３に対応する位置で上下対称位置に挿通孔（図示せず）が貫通して形成してある。収容部６の下方から挿し込んだ各ガイド棒１３は正面空間９内を通り、脚踏み台５の挿通孔を通って上端部は脚踏み台５から上方へ突出するようになっている。収容部６の両側をガイド棒１３が通るので、前記の保持部材１０は両ガイド棒１３の間に位置している。
【００３６】
二本のガイド棒１３には前記の正面空間９内でスプリング１４が取り付けられる。このスプリング１４は、脚踏み台５の両側に形成した挿入口１５（図６において点線で示す）を通して空間９内に入れられるが、この時、脚踏み台５から上方に突出するガイド棒１３をスプリング１４内に挿し入れるようにする。従って、脚踏み台５の挿入口１５は、前記に説明したガイド棒１３の挿通孔を兼ねることになる。
【００３７】
両ガイド棒１３のほぼ中間部には、図６に拡大して示すようにあらかじめ固定ピン１６が水平状態で取り付けてあり、ガイド棒１３を通して正面空間９内に入ったスプリング１４の下端は固定ピン１６の上に載ることになる。固定ピン１６は、線状あるいは棒状体であり、ガイド棒１３に貫通して設けた挿通孔に挿し込んだ時、両端がガイド棒１３の両側に突出する。
【００３８】
上記のようにして正面空間９内にスプリング１４を設置した時、スプリング１４の上端は脚踏み台５よりも上方に突出する長さを有している。このスプリング１４を正面空間９内に圧縮して入れ、スプリング１４に下方への押圧習性を付与するためにＬ字形の金属製固定具１７が使用される。
【００３９】
図６に拡大して示すようにＬ字形固定具１７は、水平板１７ａをスプリング１４の上端に載せ、垂直板１７ｂを連結板８の内側に押し当てる。そして、水平板１７ａを押し下げてスプリング１４を脚踏み台５の挿入口１５内に押し込み、水平板１７ａを脚踏み台５に密着させて載せる。
【００４０】
この状態で連結板８と垂直板１７ｂとを、柄２の支持棒２ａと連結板８とを連結するボルト、ナットを使用して連結、固定する。補強のために脚踏み台５と水平板１７ａとをボルト、ナットを使用して固定してもよい。尚、水平板１７ａには、ガイド棒１３が上方へ突出可能な貫通孔が形成してある。
【００４１】
常態ではガイド棒１３そった伸縮弾性を有するスプリング１４は、上端が水平板１７ａの下面に突き当たり、下端は固定ピン１６に突き当たるので、正面空間９内において脚踏み台５と固定ピン１６間に圧縮した状態で定置される。更に、スプリング１４の伸弾性で固定ピン１６は下方に押され収容部６の上に載るので、支持板１２は固定ピン１６を介して支持部材３から抜け落ちることがなく、かつ、収容部６内の保持部材１０に対して所定の間隔をおいて保持される。
【００４２】
ガイド棒１３の両側に突出する固定ピン１６は、スプリング１４の圧力でガイド棒１３から抜けることはないが、固定ピン１６の基部を挿通孔よりも大きく形成し、反対側に突出した先端を折り曲げておけば挿通孔から抜け出ることはない。
【００４３】
線状あるいは棒状の固定ピン１６に変え、基部を挿通孔より大きくした公知の割りピンを使用することができる。即ち、ガイド棒１３の挿通孔に割りピンを挿し込み、反対側に突き出たピンの先端を両側に開いてガイド棒１３の周囲に巻き付ければよい。尚、スプリング１４と固定ピン１６や割りピンとの間にワッシャーを設けてもよい。
【００４４】
固定ピン１６や割りピンは、正面から見た空間９内において左右いずれか側面からガイド棒１３の挿通孔に挿し込めばよいが、例えば、挿し込み先端を折り曲げることが困難な場合には、基板４に形成した取付け孔１８を利用することができる。
【００４５】
図５、図６に表れるように取付け孔１８はガイド棒１３に対応する位置に設けてあり、スプリング１４を取り付ける前に背面側から取付け孔１８を通して固定ピン１６あるいは割りピンをガイド棒１３の挿通孔に挿し込めばよい。ピンの先端を正面側で簡単に折り曲げることができる。
【００４６】
上記の説明では、スプリング１４は脚踏み台５側から空間９内に設置する場合であるが、これに限定するものではない。収容部６の下方からガイド棒１３とともにスプリング１４を空間９内に設置することも可能である。
【００４７】
即ち、収容部６にはスプリング１４が挿通可能な孔を形成し、また、脚踏み台５にはガイド棒１３のみが挿通する孔を形成しておく。ガイド棒１３を挿通、取り付けたスプリング１４を収容部６の下方からガイド棒１３とともに挿し込み、スプリング１４を正面空間９内に設置し、ガイド棒１３の上端は脚踏み台５から上方に突出させる。
【００４８】
スプリング１４の上端は脚踏み台５の下面に当接させ、スプリング１４を上方に圧縮させた状態でガイド棒１３の挿通孔に固定ピン１６を取り付ければよい。スプリング１４の圧縮を解除すればスプリング１４の下端は固定ピン１６に突き当たり、また、固定ピン１６は収容部６の上面に載ることになる。固定ピン１６の取り付け方は前記と同じであり、また、前記の取付け孔１８を利用することもできる。
【００４９】
上記のようにして支持板１２のガイド棒１３は脚踏み台５や収容部６等をスライド可能に貫通しているので、収容部６に対して支持板１２は所定の間隔をおいて上下対称に設置され、スプリング１４の伸弾性に抗して収容部６内にある保持部材１０と支持板１２とは相対する位置関係を変えることができるように構成されている。
【００５０】
支持板１２には長さ方向にそって複数のタイン挿通孔１９が形成してある。図７に示す挿通孔１９は、前記したタイン２０を通しその上端部を保持部材１０に取り付けるためのものである。このため各挿通孔１９に対応する位置で収容部６及び保持部材１０にも共通した挿通孔２１が形成してある。
【００５１】
例えば、図８の分解斜視図に表れるように収容部６を形成する下板に支持板１２の挿通孔１９と対応する位置に挿通孔２１が形成してある。尚、保持部材１０の下面にも挿通孔１９、２１に対応する位置に挿通孔が形成してあるが、図面では表れていない。
【００５２】
支持板１２に形成した挿通孔１９からタイン２０を挿し込み、収容部６の挿通孔２１を通してタイン２０の上端部を保持部材１０に形成した挿通孔に入れる。そして、保持部材１０の側面から捻じ込んだ固定用ネジ２２の先端を、保持部材１０内においてタイン２０の上端側面に強く押し当てることでタイン２０を固定する（図６及び図８参照）。従って、ネジ２２の先端を圧接するタイン２０の上端側面には平らな面あるいは凹部が形成してある。
【００５３】
常態では先端部が支持板１２よりも下方に突出する金属製円筒状のタイン２０は、図９に示すように側面に縦長に開口した排出口２３を有しており、この排出口２３が正面を向くように保持部材１０に固定する。尚、保持部材１０に形成した挿通孔は上下に貫通することなく、保持部材１０内でタイン２０の上端部２４を挿し込み可能であればよい。
【００５４】
しかし、タイン２０の径が大きい場合には、タイン２０全体の長さが長く、かつ、保持部材１０内に挿し込むタイン２０の上端部２４も長くなっているので、保持部材１０を貫通するタイン２０の上端部２４が突出するように収容部６の上板にも下板と共通する挿通孔２１を形成してもよい。
【００５５】
上記する説明において保持部材１０は、中実金属体で形成したものであるが、全体重量を軽くするために材質としてアルミ材を使用することができる。また、保持部材１０は、両側の二本のガイド棒１３の間で収容空間７内に嵌め込んだ状態を説明したが、収容空間７全長の大きさとしてもよい。この場合には、保持部材１０にガイド棒１３が貫通する挿通孔を形成しておく。
【００５６】
また、タイン２０の上端部２４は中実体であり、図面では細長く形成してあるが、排出口２３を形成した胴部と同じ太さであってもよい。更に、タイン２０は保持部材１０内に挿し込み、ネジ２２で固定する場合について説明したが、これに限定するものではなく、捻じ込み式にしてもよい。即ち、タイン２０の上端部２４に螺旋状にネジを形成し、保持部材１０には挿通孔に対応する位置にタイン２０を捻じ込み可能なネジ孔を形成すればよい。
【００５７】
上記する実施形態の芝生穿孔機において、次に、芝生地に孔を形成する場合について説明する。
まず、図３の側面図に示すように柄２を垂直上方に立て、タイン２０を芝生地に対して垂直状態に置く。そして、脚踏み台５に片脚を載せ、体重をかけて支持部材３を踏み込めば、支持部材３全体がガイド棒１３にそって押し下げられ、同時にタイン２０も押し下げられる。
【００５８】
このように踏み込み、押し下げることでタイン２０の先端は芝を切り取りつつ土中に刺し込まれ、支持板１２が芝生面上に載り、更に踏み込むことで固定ピン１６に載るスプリング１４が徐々に上方に圧縮され、支持部材３の収容部６下面が支持板１２の上面に接するまで下降する。
【００５９】
図１０に示すように、支持板１２が芝生面２５に圧接され、更に、収容部６が最下点に達した時点でスプリング１４の圧縮度は最大となり、タイン２０全体が土中に埋まることになる。そして、ガイド棒１３は脚踏み台５の上方に長く突出することになる。
【００６０】
この状態で脚踏み台５から脚を外せば、スプリング１４は固定ピン１６を基点として復元する伸弾性により支持部材３を瞬間的に押し上げる。即ち、スプリング１４は固定ピン１６を押し下げることで支持板１２を芝生面２５に押し当てるので、支持板１２を支点として支持部材３はガイド棒１３にそって上昇し、同時にタイン２０も上昇して土中から抜け出ることになる。
【００６１】
従って、支持板１２は芝生面２５上に圧接するようになり、常態で支持板１２より下方に突出するタイン２０の先端部は土中に残るが、タイン２０内に取り入れられた土塊は支持板１２の上方に位置する排出口２３から自然に排出される。芝生は支持板１２の下面で押さえられており、傷つくことはない。
【００６２】
スプリング１４の伸弾性によってタイン２０は土中から自然に引き抜かれるので、柄２を持って支持部材３を引き上げ、タイン２０を引き抜く操作は必要ないが、スプリング１４の弾性力が強いと上昇衝撃が強く、また、固定ピン１６を取り付ける時の圧縮に力を要するので、スプリング１４の伸縮弾性力はタイン２０が自然に抜け出る程度にしておくと便利である。
【００６３】
上端を保持して固定ピン１６間に圧縮されるスプリング１４の弾性強度は、支持板１２が自由にスライド（昇降）しない程度であればよいが、支持板１２のスライドが許容できる範囲であればスプリング１４は圧縮しない状態でガイド棒１３に取り付けてもよい。また、常態において収容部６と支持板１２との相対する間隔は、タイン２０を土中から抜き取った時、次にタイン２０を挿し込みやすい程度にタイン２０の先端が支持板１２から下方に突出する間隔であればよい。
【００６４】
穿孔機本体１を移動させながら上記の孔空け作業を繰り返し行うことで、芝生地の任意の位置に多数の孔を穿設することができる。尚、柄２は穿孔機本体１から上方へ真っ直ぐ延ばしてもよいが、図３に示すように途中から背面側に傾斜させておけば、柄２の上部を手で持って踏み込み操作がしやすくなる。
【００６５】
上記に説明するタイン２０は、３本をセットした場合であるが、これに限定するものではない。タイン２０の本数は任意に選択することができる。タイン２０の径が太い場合には３本でもよいが、図１１に示すように、タイン２０の径が細い場合には５本を使用することができる。
【００６６】
このため、支持板１２や収納部６に設けた挿通孔１０、２１は、５本を挿通する場合を想定してあらかじめ五つの挿通孔１９、２１が形成してある。当然に保持部材１０にも五つの挿通孔が形成してある。尚、図６では３本のタイン２０を固定するためのネジ２２しか示していないが、実際には各ネジ２２間において図示しないタインを固定するネジ２２を挿通するネジ孔が形成してある。
【００６７】
また、支持部材３の両側に設けた連結板８は、独立した縦長な板体を固定する場合について説明したが、これに限定するものではない。例えば、基板４の両側に一体に連結板８を連設し、この連結板８を脚踏み台５や収容部６を覆うように片側に折り曲げて固定し、柄２の支持棒２ａに連結するようにしてもよい。連結板８を独立して形成するか、基板４に連設するかいずれであってもよい。
【００６８】
本発明の第二実施形態
前記の実施形態における穿孔機本体１では、金属製基板４を折曲形成して脚踏み台５や保持部材１０を取り付ける収容部６を形成したものである。
第二の実施形態では支持部材３を設けることなく簡易な構成で芝生地に孔を空けることのできる芝生穿孔機を提供するものである。
【００６９】
図１２は、第二実施形態の芝生穿孔機に使用する穿孔機本体１の要部を示すものであり、前記の実施形態で使用した部分は同じ名称と同じ符号を使用している。この実施形態における穿孔機本体１は、両側対称に設置する縦長な連結板８と、この連結板８の上部間に架設して固定した脚踏み台５と、連結板８の下部間に架設して固定した保持部材１０と、保持部材１０の下方に配置し、スプリング１４の伸縮弾性で保持部材１０との相対する位置関係を変えることのできる支持板１２と、複数本のタイン２０とから成っている。
【００７０】
一枚の板体からなる脚踏み５は、その両端部を連結板８の内側に設けた前記の固定具１７を使用しボルト、ナットで連結することができる。あるいは、図示していないが脚踏み台５の両端部を上向きあるいは下向きに直角に折り曲げて連結片を形成し、この連結片を介して溶接あるいはボルト、ナット等で連結板８に連結するようにしてもよい。また、脚踏み台５を補強するために、長さ方向両側を下方に折り曲げてもよい。
【００７１】
保持部材１０は、前記の場合と同じく中実角棒体であり、溶接あるいはボルト、ナットを使用して連結板８に固定される。また、支持板１２は保持部材１０の下面と同じ大きさを有する板体であり、保持部材１０の下方に平行に配置される。
【００７２】
支持板１２の両側に上向きに突設するガイド棒１３は、脚踏み台５と保持部材１０とにスライド可能に貫通して取り付け、上部は脚踏み台５から突出するようにしておく。そして、脚踏み台５と保持部材１０との間にはガイド棒１３を介して伸縮弾性を有するスプリング１４を設置する。
【００７３】
スプリング１４を取り付けるには、保持部材１０の下方から挿し通したガイド棒１３の中間部にあらかじめ固定ピン１６を挿通しておき、ガイド棒１３に上からスプリング１４を挿し通す。脚踏み台５にはガイド棒１３のみが挿通する孔が形成してあるので、ガイド棒１３の上端を脚踏み台５の挿通孔に挿し通し、脚踏み台５を押し下げればスプリング１４は圧縮され、この状態で脚踏み台５を連結板８に固定すればよい。
【００７４】
あるいは、あらかじめ脚踏み台５を連結板８の所定の位置に固定しておき、保持部材１０の下方からガイド棒１３とスプリング１４とを挿し通し、スプリング１４を脚踏み台５側に圧縮した状態でガイド棒１３に固定ピン１６を取り付けてもよい。尚、固定ピン１６やスプリング１４の弾性強度並びに保持部材１０と支持板１２との間隔等は、前記の実施形態と同じである。
【００７５】
いずれにしても、脚踏み台５と保持部材１０との間でスプリング１４が伸縮弾性を保持して設置され、支持板１２が自由に動くことなく保持部材１０との間隔を維持すればよい。尚、スプリング１４の弾性強度や保持部材１０と支持板１２との相対する間隔は前記した実施形態の場合と同じである。また、タイン２０は３本が示してあるが、５本取り付けることも可能である。
【００７６】
複数本のタイン２０は、前記の実施形態の場合と同じく支持板１２に形成した各挿通孔２１からそれぞれ上方に挿し込み、上端部を保持部材１０に形成した挿通孔に入れ、ネジ２２で固定すればよい。尚、図示においてネジ２２は背面側から捻じ込んであるので表れていないが、正面側から捻じ込んでもよい。また、ネジ２２を使用することなく、前記実施形態と同じくネジ込み式であってもよい。
【００７７】
脚踏み台５、連結板８、保持部材１０及び支持板１２等は前記と同じ材質が使用され、要部の構成は、脚踏み台５が異なるのみで前記の実施形態と変わることはない。連結板８の上方に支持棒２ａを介して柄２を連結し、柄２を持って脚踏み台５に脚を載せて踏み下ろせば、脚踏み台５及び保持部材１０が下降し、タイン２０が土中に突き刺さる。
【００７８】
支持板１２が芝生面２５に接地し、保持部材１０が支持板１２上に接した時点で脚踏み台５から脚を外せば、固定ピン１６によって脚踏み台５側に圧縮されたスプリング１４の伸弾性で保持部材１０が上昇し、タイン２０が土中から抜き取られる。このような孔空け作業は前記の実施形態と同じである。
【００７９】
本実施形態において連結板８間に脚踏み台５を設けた場合について説明したが、脚踏み台５は必ず必要とするものではない。即ち、脚踏み台５を省略し、連結板８の内面に固定して前記のＬ字形固定具１７を使用し、保持部材１０の上面を脚踏み台５として利用できる。
【００８０】
このため、ガイド棒１３の上端は固定具１７の水平板１７ａに形成した挿通孔を貫通させ、スプリング１４は水平板１７ａの下面に突き当て、固定ピン１６との間に設置すればよく、保持部材１０を踏み下ろすことでタイン２０を芝生地に突き刺すことができ、スプリング１４の弾性作用でタイン２０を抜き取ることが可能である。
【００８１】
第二実施形態の芝生穿孔機は、簡易な構造で軽量であり、持ち運びやすく、効率よく芝生地に多数の孔を空けることができるものである。上記の各実施形態では固定用にボルト１１やネジ２２等を使用しているが、固定用にボルト、ネジいずれかに統一してもよい。
【００８２】
本発明の第三実施形態
図１３は、本発明芝生穿孔機における穿孔機本体１の第三の実施形態を示すものであり、前記の各実施形態と同じ部分は同じ名称と同じ符号を使用している。
この実施形態では、独立した脚踏み台５を設けることなく、穿孔機本体１は、保持部材１０と支持板１２とから構成し、柄２を連結可能としたことに特徴を有している。
【００８３】
更に、詳細に説明すると、保持部材１０の下方に水平状に配置した支持板１２の両側に設けたガイド棒１３を保持部材１０に抜け落ちることのないように貫通して取り付け、保持部材１０と支持板１２との間にスプリング１３を伸縮可能に設置し、支持板１２の挿通孔１９を通したタイン２０を保持部材１０に固定する。
【００８４】
保持部材１０は、柄２の支持棒２ａの下部に連結、固定してあり、孔空け作業に際しては保持部材１０上に脚を載せ、体重をかけて踏み下ろせばタイン２０は芝生地に突き刺さり、支持板１２が芝生面２５に載り、スプリング１４は圧縮され、ガイド棒１３は保持部材１０の上方に突き出る。保持部材１０の下面が１点鎖線で示す支持板１２に接することでタイン２０全体が土中に入ることになる。
【００８５】
保持部材１０から脚を外せばスプリング１４の伸弾性作用で支持板１２を支点として保持部材１０は上昇し、タイン２０は土中から自然に引き抜かれる。保持部材１０を貫通するガイド棒１３の上端部は大径に形成しているので、支持板１２は保持部材１０に対し所定の間隔を維持して抜け落ちることはない。
【００８６】
前記の実施形態と同じくスプリング１４の伸縮弾性で保持部材１０と支持板１２とは相対する位置関係を変えることができるように連結される。尚、スプリング１４の弾性強度や保持部材１０と支持板１２との間隔等は、前記の各実施形態と同じである。
【００８７】
図示において保持部材１０の両側には中空状のボルト２６を取り付け、上部に大径部を有するガイド棒１３はボルト２６側から挿し通し、下方からスプリング１４を取り付けたガイド棒１３先端のネジ２７を支持板１２にネジ込んで連結している。そして、スプリング１４の上端はボルト２６の下面に突き当たるようにしてある。
【００８８】
柄２の支持棒２ａは、図１４に示すように１本の長形なパイプ状支持棒２ａの中央部を偏平に押しつぶして板状の連結板２８を形成し、連結板２８の両側を上方に折り曲げて支持棒２ａを立て、上端に柄２を連結したものである。尚、支持棒２ａは、前記の場合と同じく途中から背面側に傾斜させてある。
【００８９】
連結板２８を保持部材１０の上に載せ、複数本のボルト２９を使用して固定すれば、柄２と保持部材１０とは一体に連結される。そして、連結板２８が脚踏み台５を兼ねることになる。
【００９０】
第三実施形態の穿孔機本体１は上記の構成であるが、特にこの構成に限定する必要はない。保持部材１０の両側に中空ボルト２６を取り付け、このボルト２６にガイド棒１３のガイド孔が形成してあるが、ボルト２６を設けることなく、保持部材１０自体にガイド孔を形成するようにしてもよい。
【００９１】
また、前記の実施形態の場合と同じく、支持板１２の上面にガイド棒１３を垂直状に固定し、保持部材１０の下方からガイド棒１３を挿し通してもよい。この場合、保持部材１０の上方に突き出たガイド棒１３上端に、ガイド棒１３よりも径の大きいボルトあるいは袋ナット（図示せず）をネジ込んで大径部を形成してもよい。ボルトや袋ナットがボルト２６あるいは保持部材１９上に載るので支持板１２は抜け落ちることはない。
【００９２】
また、スプリング１４の上端は、ボルト２６を設けた場合には保持部材１０内でボルト２６下面に突き当てればよい。しかし、ボルト２６を設けない場合には、保持部材１０の下面に突き当てるか、保持部材１０に形成した取付け孔内にスプリング１４の上部を入れ、取付け孔の上面にスプリング１４を突き当ててもよい。
【００９３】
更に、柄２の支持棒２ａに連結板２８を形成することなく、前記の実施形態の場合と同じように独立した２本の支持棒２ａの下部を保持部材１０の両端面にあてがい、溶接あるいはボルトを使用して連結してもよい。このようにした場合には保持部材１０が脚踏み台５を兼ねるようになる。
【００９４】
図１３では保持部材１０を連結板２８よりも長く形成し、ガイド棒１３は連結板２８の外側に位置させているが、２点鎖線で示すように連結板２８を保持部材１０よりも長くし、連結板２８の内側にガイド棒１３を位置させてもよく、いずれを選択するかは任意である。
【００９５】
この実施形態の穿孔機本体１では、全体の構成を更に簡易化することができ、軽量とすることで持ち運びや取り扱いが容易となり、作業員の労力を軽くして連続した孔空け作業を行うことができる。
【００９６】
本発明の第四実施形態
上記する第一乃至第三の実施形態における穿孔機本体１では、芝生地に孔を空ける作業をし、取り出した土塊はタイン２０の排出口２３から排出され、芝生地上に散乱することになり、周りの美観を損ねることになる。
【００９７】
本発明の第四の実施形態では、タイン２０から排出した土塊を捕集し、散乱を防止することに特徴を有している。即ち、図１５に示すように、支持板１２の正面側に捕集具３０を取り付け可能としたことに特徴を有している。尚、前記の実施形態と同じ部分は同じ名称及び同じ符号を使用している。
【００９８】
この捕集具３０は、支持板１２と同じ長さを有する横長方形状に形成した金属線で構成する枠体３１に、合成樹脂製あるいは布製等の柔軟性を有する捕集袋３２の開口部を取り付けたものである。
【００９９】
枠体３１は、いずれか片側の長い線材３３を支持板１２上に溶接あるいは適宜の固定具を使用した手段で固定すればよく、捕集具３０の捕集口３４は支持板１２の前方に水平に開口した状態となる。
【０１００】
前記に説明したようにタイン２０を土中に突き刺し、抜き取って排出口２３から排出された土塊は、排出前方にある捕集口３４を通して捕集袋３２内に捕集されることになる。捕集袋３２内に土塊が溜まった場合には廃棄すればよいが、捕集袋３２に採り入れた土塊を廃棄するために枠体３１は、単に固定するのではなく、支持板１２に着脱可能とすれば便利である。
【０１０１】
図１６は、捕集具３０を支持板１２に着脱可能に取り付ける状態の１例を示すものであり、着脱手段として固定板３５が使用される。方形状の金属製固定板３５の基部を支持板１２上に回動軸３６を介して回動可能に連結し、自由端側は支持板１２にネジ３７で固定出来るようにしておく（詳細は図１７を参照）。
【０１０２】
枠体３１の片側の横長な線材３３を支持板１２の長さ方向にそって定置し、固定板３５の中央部を線材３３の上に跨らせて載せ、先端部をネジ３７で固定すればよく、捕集具３０の枠体３１は支持板１２の前方に水平状態で保持される。
尚、固定板３５は、支持板１２の長さ方向にそって２箇所あるいは３箇所設置しておけばよい。
【０１０３】
支持板１２に捕集具３０を取り付けた状態で孔空け作業を連続して行い、捕集袋３２内に土塊が溜まれば、捕集具３０を取り外して土塊をゴミ箱やゴミ袋等に廃棄し、空になった捕集具３０を支持板１２に取り付ければよい。
【０１０４】
図１７は、捕集具３０の他の例を示すものである。この捕集具３０は、両側の短い線材を線材３３に近い位置で折り曲げ、線材３３に対して他の線材３８側を傾斜状に上方に位置させ、捕集具３０の捕集口３４を支持板１２に対して前方上方へ傾斜させたことに特徴を有している。
【０１０５】
このように捕集口３４を支持板１２に対して前方へ傾斜状に高くしたので、タイン２０から排出された土塊は捕集口３４から捕集袋３２内に取入れやすくなり、捕集効率がよくなるものである。図面では捕集具３０を取り付けるのに固定板３５を使用した場合が示してあるが、掛止突起や掛止部材を使用してもよい。
【０１０６】
図１８は、支持板１２に捕集具３０を着脱可能に取り付ける他の例を示すものである。  捕集具３０の片側の長い線材３３あるいは両方の長い線材３３、３８に下向き内側方向へ掛止突起３９を形成し、支持板１２の前面には掛止突起３９が入り得る掛止孔を有する掛止部材４０を設けておく。掛止突起３９と掛止部材４０は、支持板１２にそって２〜３箇所に設けておき、掛止突起３９を掛止部材４０内に差し込むことで捕集具３０を支持板１２に対し平行に定置することができる。
【０１０７】
尚、図１７に示す捕集具３０を掛止突起３９や掛止部材４０を使用して支持板１２に着脱するのは、常態では低い位置にある線材３３に掛止突起３９を設け、掛止部材４０に引っ掛けるようにすればよい。図１５乃至図１８において、捕集具３０を取り付ける穿孔機本体１は第一実施形態のものを使用しているが、第二及び第三実施形態の穿孔機本体１にも取り付け可能である。
【０１０８】
支持板１２に捕集具３０を取り付けた状態でタイン２０を芝生地に突き刺す作業をする場合には、芝生地に孔を空け、タイン２０を土中から引き抜いた後、後方へ下がりながら続けて孔空け作業をすれば捕集袋３２は芝生面２５上を引きずられ、支持板１２の前方に位置するので捕集袋３２が邪魔にならずに効率よく孔空け作業をすることができる。
【産業上の利用可能性】
【０１０９】
本発明芝生穿孔機は、一般家庭の庭に芝生、庭園や公園の芝生、ゴルフ場の芝生等広い分野に植生する芝生地において孔空け作業に最適であり、特に、広い面積を有するゴルフ場では利用価値が高いものである。
【図面の簡単な説明】
【０１１０】
【図１】本発明芝生穿孔機全体の第一実施形態を示す正面図である。
【図２】本発明芝生穿孔機全体の第一実施形態を示す背面図である。
【図３】本発明芝生穿孔機全体の第一実施形態を示す側面図である。
【図４】芝生穿孔機に使用する支持部材の斜視図である。
【図５】図１に示す穿孔機本体の拡大正面図である。
【図６】図２に示す穿孔機本体の拡大背面図である。
【図７】穿孔機本体を正面から見た拡大斜視図である。
【図８】穿孔機本体を分解した状態の斜視図である。
【図９】本発明に使用するタインの斜視図である。
【図１０】タインを芝生地に埋め込んだ状態の穿孔機本体の正面図である。
【図１１】５本のタインを取り付けた状態の穿孔機本体の正面図である。
【図１２】本発明芝生穿孔機の第二の実施形態を示す穿孔機本体の斜視図である。
【図１３】本発明芝生穿孔機の第三の実施形態を示す穿孔機本体の正面図である。
【図１４】第三の実施形態で使用する柄全体の斜視図である。
【図１５】本発明芝生穿孔機の第四の実施形態を示す支持板の前面に捕集具を取り付けた状態の斜視図である。
【図１６】支持板の前面に捕集具を着脱可能に取り付ける状態の斜視図である。
【図１７】他の形状の捕集具を支持板に着脱可能とした状態の斜視図である。
【図１８】支持板に捕集具を着脱可能とする他の例を示す斜視図である。
【図１９】従来の芝生穿孔機を示す斜視図である。
【符号の説明】
【０１１１】
１  穿孔機本体
２  柄
３  支持部材
４  基板
５  脚踏み台
６  収容部
７  収容空間
８  連結板
９  正面空間
１０  保持部材
１１  固定ボルト
１２  支持板
１３  ガイド棒
１４  スプリング
１５  挿入口
１６  固定ピン
１７  Ｌ字形固定具
１８  取付け孔
１９  タイン挿通孔
２０  タイン
２１  挿通孔
２２  固定用ネジ
２３  排出口
２４  タイン上端部
２５  芝生面
２６  ボルト
２７  ネジ
２８  連結板
２９  ボルト
３０  捕集具
３１  枠体
３２  捕集袋
３３  線材
３４  捕集口
３５  固定板
３６  回動軸
３７  ネジ
３８  線材
３９  掛止突起
４０  掛止部材
【図１】
2006262738.tif 000003
【図２】
2006262738.tif 000004
【図３】
2006262738.tif 000005
【図４】
2006262738.tif 000006
【図５】
2006262738.tif 000007
【図６】
2006262738.tif 000008
【図７】
2006262738.tif 000009
【図８】
2006262738.tif 000010
【図９】
2006262738.tif 000011
【図１０】
2006262738.tif 000012
【図１１】
2006262738.tif 000013
【図１２】
2006262738.tif 000014
【図１３】
2006262738.tif 000015
【図１４】
2006262738.tif 000016
【図１５】
2006262738.tif 000017
【図１６】
2006262738.tif 000018
【図１７】
2006262738.tif 000019
【図１８】
2006262738.tif 000020
【図１９】
2006262738.tif 000021